(57)【要約】【課題】近距離無線通信の検出器の整備し易いシステムを提供すること。【解決手段】送受信端末５００を測位することが可能なネットワークシステム１００であって、送受信端末５００と近距離無線通信により通信可能で少なくとも一以上配置され、サーバ６００と通信可能である第２基地局４００と通信可能である第１基地局３００を含み、第１基地局３００は、検出した情報を第１基地局３００に送信する少なくとも一以上配置されるセンサノード２００と通信可能であるネットワークシステム１００を提供する。【選択図】図３
2019050457.tif 000002
【特許請求の範囲】
【請求項１】
送受信端末を測位することが可能なネットワークシステムであって、
前記送受信端末と近距離無線通信により通信可能で少なくとも一以上配置され、サーバと通信可能である第２基地局と通信可能である第１基地局を含み、
前記第１基地局は、検出した情報を前記第１基地局に送信する少なくとも一以上配置されるセンサノードと通信可能であるネットワークシステム。
【請求項２】
送受信端末を測位することが可能なネットワークシステムであって、
前記送受信端末と近距離無線通信により通信可能で少なくとも一以上配置され、サーバと通信可能である第２基地局と通信可能である第１基地局を含み、
前記第１基地局は、検出した情報を前記第１基地局に送信する少なくとも一以上配置されるセンサノードと通信可能であり、
少なくとも一以上の照明装置の電源と同一の電源を使用するネットワークシステム。
【請求項３】
前記照明装置が街灯又は防犯灯であり、前記照明装置の少なくとも一以上が前記センサノードである又は前記センサノードと電気的に接続される請求項２記載のネットワークシステム。
【請求項４】
送受信端末を測位することが可能なネットワークシステムであって、
前記送受信端末と近距離無線通信により通信可能で少なくとも一以上配置され、サーバと通信可能である第２基地局と通信可能である第１基地局を含み、
前記第１基地局は、検出した情報を前記第１基地局に送信する少なくとも一以上配置されるセンサノードと通信可能であり、
少なくとも一以上の電照看板の電源と同一の電源を使用するネットワークシステム。
【請求項５】
前記電照看板の少なくとも一以上が前記センサノードである又は前記センサノードと電気的に接続される請求項４記載のネットワークシステム。
【請求項６】
前記第１基地局と前記センサノードとがＬＰＷＡＮを用いて通信される請求項１乃至５記載のネットワークシステム。
【発明の詳細な説明】
【技術分野】
【０００１】
本発明は、測位ネットワークシステム及びセンシングネットワークシステムに関する。
【背景技術】
【０００２】
モノのインターネット（Ｉｎｔｅｒｎｅｔ  ｏｆ  Ｔｈｉｎｇｓ）技術が絶えず発展を続けるのに伴い、インターネットに対する需要及び期待は日々高まっている。
【０００３】
特に測位に対する需要は高まっていて、測位情報を取得する多くの手段、例えばＧＮＳＳ（Ｇｌｏｂａｌ  Ｎａｖｉｇａｔｉｏｎ  ＳａｔｅｌｌｉｔｅＳｙｓｔｅｍ）、Ｗｉ−Ｆｉ（Ｗｉｒｅｌｅｓｓ  Ｆｉｄｅｌｉｔｙ）、Ｂｌｕｅｔｏｏｔｈ（ブルートゥース  エスアイジー、インコーポレイテッドの登録商標。以下同じ。）、ＲＦＩＤ（Ｒａｄｉｏ  Ｆｒｅｑｕｅｎｃｙ  Ｉｄｅｎｔｉｆｉｃａｔｉｏｎ）、ＵＷＢ（Ｕｌｔｒａ  Ｗｉｄｅｂａｎｄ）、Ｂｅａｃｏｎ等の技術が提供されている。
【０００４】
なお、Ｂｅａｃｏｎ（ビーコン）とは、定期的に電波を発信するデバイスのことであり、スマートフォンやタブレット、タグ等の送受信端末の位置を把握することができる。
【０００５】
特許文献１は、宣伝、広告等の情報コンテンツを、発信者である事業者の施設や店舗に近づいた不特定多数のユーザに確実に送信できるように、ユーザの保有する送送受信端末の近距離無線通信機能を、自動で動作状態に切り替える通信システムを提供するものである。
【先行技術文献】
【特許文献】
【０００６】
【特許文献１】特開２０１６−１６７６５１
【発明の概要】
【発明が解決しようとする課題】
【０００７】
ビーコンが配置された場合、配置されたビーコンは、測位信号（ビーコン信号）を送信するが、ビーコンの消費電力は極めて低いため、長期間使用することができる。また、ビーコンは、取り付けが容易で、コストが低いという利点がある。
【０００８】
そして、ビーコンが送信した測位信号は、スマートフォン等の送受信端末が持続的に検出する。そして、当該送受信端末は、当該測位信号のデータをサーバに送信し、サーバにより位置算出が行われる。
【０００９】
しかし、当該送受信端末は測位信号の走査及び通信を継続的に行うため、スマートフォン等の送受信端末の消費電力が大きいという問題がある。
【００１０】
一方、ブルートゥース等の近距離無線通信の検出器が配置された場合、スマートフォン等の送受信端末によりＢＬＥ（Ｂｌｕｅｔｏｏｔｈ  Ｌｏｗ  Ｅｎｅｒｇｙ）等の近距離無線通信の測位信号（ビーコン信号）が発信される。そして、検出器は当該測位信号（ビーコン信号）を受信し、当該信号をサーバに送信する。そして、サーバが測位結果を算出する。
【００１１】
この場合、スマートフォン等の送受信端末の消費電力が低いという利点がある。
【００１２】
しかし、近距離無線通信の検出器は、当該送受信端末が送信した信号を継続的に検出して、当該信号をサーバに送信するため、消費電力が大きいという問題がある。
【００１３】
そのため、当該検出器は外部電源等を必要とし、コストが高く、設置コストもかかるという問題がある。
【００１４】
そして、電源や当該検出器の設置場所等を提供する事業者にとってはメリットが少ないという問題もある。
【００１５】
一方、気温、湿度等を計測するためにセンサや、通過センサ等を整備しようする場合、コストが非常にかかるという問題がある。
【００１６】
そして、特許文献１に係る発明ではこのような問題を解決することはできない。
【００１７】
本発明の目的は、近距離無線通信の検出器の整備し易いシステムを提供することである。
【００１８】
本発明の他の目的は、各種センサの整備し易いシステムを提供することである。
【課題を解決するための手段】
【００１９】
本発明の第１の局面のネットワークシステムは、送受信端末を測位することが可能なネットワークシステムであって、
前記送受信端末と近距離無線通信により通信可能で少なくとも一以上配置され、サーバと通信可能である第２基地局と通信可能である第１基地局を含み、
前記第１基地局は、検出した情報を前記第１基地局に送信する少なくとも一以上配置されるセンサノードと通信可能であるネットワークシステムである。
【００２０】
「送受信端末」の例としては、スマートフォン、携帯電話、タブレット、電子タグ（ＩＣタグ）等が挙げられる。
【００２１】
「近距離無線通信」の例としては、ＢＬＥ、ＺｉｇＢｅｅ、Ｗｉ−Ｆｉ等が挙げられる。
【００２２】
電子タグ等の送受信端末とＢＬＥ等の近距離無線通信を行う検出器は、外部電源等が必要であるためコストがかかるという問題があり、電源（外部電源）や検出器を設置する設置場所を提供する事業者にとってはメリットが少ないという問題がある。
【００２３】
一方で、センサノードにおけるセンサが気温、湿度等を計測するセンサの場合、例えば店舗等の事業者は、店舗内の温度・湿度管理ができる。また、通過センサ等であればどの程度店舗に人の出入りがあったかがわかる。
【００２４】
具体的には、例えばコンビニエンスストアやスーパー等の商店において、店舗内、冷蔵庫、冷凍庫等の温度管理が必要であるが、温度を計測するセンサノードを設置することにより、冷蔵庫や冷凍庫の温度管理が自動化される。
【００２５】
このため、事業者にとっては、従業員が温度管理等をする必要がなく、また、測定回数も増加させることができ、省エネルギー化を図ることができる。
【００２６】
また、センサノードのセンサによって人の動きを検知した場合、店舗やガレージ等に人が来た場合に音楽を鳴らしたり、広告のためのアナウンスをしたり、注意喚起したり、調光したりすることができる。
【００２７】
そのため、事業者にとって、センシングすることができるメリットは大きい。
【００２８】
したがって、本発明によれば電源や設置場所等を提供する事業者は、温度・湿度等のセンシングをすることができるというメリットがある。
【００２９】
一方、本発明によれば電子タグ等の送受信端末とＢＬＥ等の近距離無線通信を行う検出器は、電源や設置場所を確保できるというメリットがある。
【００３０】
本発明の第２の局面のネットワークシステムは、送受信端末を測位することが可能なネットワークシステムであって、
前記送受信端末と近距離無線通信により通信可能で少なくとも一以上配置され、サーバと通信可能である第２基地局と通信可能である第１基地局を含み、
前記第１基地局は、検出した情報を前記第１基地局に送信する少なくとも一以上配置されるセンサノードと通信可能であり、
少なくとも一以上の照明装置の電源と同一の電源を使用するネットワークシステムである。
【００３１】
第１基地局とセンサノードとＬＰＷＡＮ等を用いて通信するためのルータ等を整備するためには、電源、通信網、設置場所等を設ける必要があり、コストと労力が必要である。
【００３２】
しかし、このようなネットワークシステムであれば、照明装置と電源を共有することができ、電源、通信網、設置場所の整備コストを抑えることができる。
【００３３】
つまり、第１基地局が配置されるコストを抑えつつ、第１基地局が多数設置されることが可能であり、近距離無線通信及びＬＰＷＡＮ等の通信設備を用いた通信範囲を広げ易くなる。
【００３４】
第１基地局と電源を共有する照明装置には、例えば街灯や防犯灯が挙げられる。
【００３５】
また、センサノードのセンサが例えば通過センサや赤外線センサ等の場合、車や人の移動が認識される。
【００３６】
また、センサノードのセンサが温度センサの場合、店舗内、冷蔵庫若しくは冷凍庫の温度を管理することができ、店舗内等の温度管理を自動化させることができる。また、気温等の温度を把握することができ、例えば火事等が生じた場合、すぐに消防署に通報することができる。
【００３７】
また、センサノードのセンサが湿度センサの場合、湿度が正確に把握される。
【００３８】
本発明によれば電源や設置場所等を提供する事業者は、温度・湿度等のセンシングをすることができるというメリットがある。
【００３９】
一方、本発明によれば電子タグ等の送受信端末とＢＬＥ等の近距離無線通信を行う検出器は、電源や設置場所を確保できるというメリットがある。
【００４０】
本発明の第３の局面のネットワークシステムは、第２の局面に係るネットワークシステムであって、前記照明装置が街灯又は防犯灯であり、前記照明装置の少なくとも一以上が前記センサノードである又は前記センサノードと電気的に接続されるネットワークシステムである。
【００４１】
このようなネットワークシステムであれば、既に街灯等の照明装置は整備されているところが多いため、電源、通信網、設置場所の整備コストを抑えることができる。
【００４２】
つまり、第１基地局が配置されるコストを抑えつつ、第１基地局が多数設置されることが可能であり、ＢＬＥ等の近距離無線通信及びＬＰＷＡＮ等の通信設備を用いた通信範囲を広げ易くなる。
【００４３】
本発明の第４の局面のネットワークシステムは、送受信端末を測位することが可能なネットワークシステムであって、
前記送受信端末と近距離無線通信により通信可能で少なくとも一以上配置され、サーバと通信可能である第２基地局と通信可能である第１基地局を含み、
前記第１基地局は、検出した情報を前記第１基地局に送信する少なくとも一以上配置されるセンサノードと通信可能であり、
少なくとも一以上の電照看板の電源と同一の電源を使用するネットワークシステムである。
【００４４】
このようなネットワークシステムであれば、電照看板と電源を共有することができ、電源、通信網、設置場所の整備コストを抑えることができる。
【００４５】
第１基地局が配置されるコストを抑えつつ、第１基地局が多数設置されることが可能であり、ＢＬＥ等の近距離無線通信及びＬＰＷＡＮ等の通信設備を用いた通信範囲を広げ易くなる。
【００４６】
また、センサノードのセンサが例えば通過センサや赤外線センサ等の場合、車や人の移動が認識される。
【００４７】
また、センサノードのセンサが温度センサの場合、店舗内、冷蔵庫若しくは冷凍庫の温度を管理することができ、店舗内等の温度管理を自動化させることができる。また、気温等の温度を把握することができ、例えば火事等が生じた場合、すぐに消防署に通報することができる。
【００４８】
また、センサノードのセンサが湿度センサの場合、湿度が正確に把握される。
【００４９】
したがって、本発明によれば電源や設置場所等を提供する事業者は、温度・湿度等のセンシングをすることができるというメリットがある。
【００５０】
一方、本発明によれば電子タグ等の送受信端末とＢＬＥ等の近距離無線通信を行う検出機は、電源や設置場所を確保できるというメリットがある。
【００５１】
本発明の第５の局面のネットワークシステムは、第４の局面に係るネットワークシステムであって、前記電照看板の少なくとも一以上が前記センサノードである又は前記センサノードと電気的に接続されるネットワークシステムである。
【００５２】
このようなネットワークシステムであれば、既に電照看板が設置されているところや、設置されようとしている電照看板を利用することができ、電源、通信網、設置場所の整備コストを抑えることができる。
【００５３】
第１基地局が配置されるコストを抑えつつ、第１基地局が多数設置されることが可能となり、ＢＬＥ等の近距離無線通信及びＬＰＷＡＮ等の通信設備を用いた通信範囲を広げ易くなる。
【００５４】
なお、「電照看板」とは、電気によって明るくなる看板であって、自照式であっても他照式であってもよい。また、電照看板はデジタルサイネージが含まれる概念である。
【００５５】
また、「デジタルサイネージ」とは、屋外・店頭・公共空間・交通機関など、あらゆる場所で、ディスプレイなどの電子的な表示機器を使って情報を発信するシステムのことをいう。
【００５６】
本発明の第６の局面のネットワークシステムは、第１の局面乃至第５の局面に係るネットワークシステムであって、前記第１基地局と前記センサノードとがＬＰＷＡＮを用いて通信されるネットワークシステムである。
【００５７】
「ＬＰＷＡＮ」とは、Ｌｏｗ  Ｐｏｗｅｒ  Ｗｉｄｅ  Ａｒｅａ  Ｎｅｔｗｏｒｋのことであり、低電力広範囲ネットワークのことである。
【００５８】
このようなものであれば、第１基地局とセンサノードとの通信コスト抑えつつ、かつ、広範囲で通信が可能である。
【００５９】
なお、第１基地局とセンサノードとの通信は、ＬＰＷＡＮを用いた通信以外にも、有線、ＲＦ（Ｒａｄｉｏ  Ｆｒｅｑｕｅｎｃｙ）無線、赤外線、ＺｉｇＢｅｅ、ＢＬＥ、Ｗｉ−Ｆｉ等を用いた通信であってもよい。
【００６０】
本発明の第７の局面のネットワークシステムは、前記センサノードが、前記送受信端末の位置を検知するネットワークシステムである。
【００６１】
このようなネットワークシステムであれば、スマートフォンやタブレット等の送受信端末の所持者の位置が検知されるため、送受信端末を所持する子供や老人等の所持者の居場所がわかる。
【図面の簡単な説明】
【００６２】
【図１】本発明の一実施形態のブロック図。
【図２】本発明の一実施形態の概念図。
【図３】本発明の一実施形態のブロック図。
【図４】本発明の一実施形態のフローチャート。
【図５】本発明の一実施形態のフローチャート。
【図６】本発明の一実施形態のフローチャート。
【図７】本発明の一実施形態のブロック図。
【図８】同実施形態の概念図。
【図９】本発明の一実施形態のブロック図。
【図１０】同実施形態の概念図。
【図１１】本発明の一実施形態の概念図。
【発明を実施するための形態】
【００６３】
以下、本発明に係るネットワークシステムである測位及びセンシングネットワークシステム１００の実施形態に関して図面を参照しながら説明する。
【００６４】
（測位及びセンシングネットワークシステム１００）
図１及び図２に示すように、本実施形態に係る測位及びセンシングネットワークシステム１００は、温度センサ、湿度センサ又は通過センサ等のセンサを有するセンサノード２００と、
センサノード２００及び電子タグ等の送受信端末５００と通信可能な第１基地局３００と、
第１基地局３００と通信可能な第２基地局４００と、
第２基地局４００と通信可能なサーバ６００と、を含む。
【００６５】
（センサノード２００）
本実施形態ではセンサノード２００は、温度センサ、湿度センサ、通過センサの少なくともいずれかのセンサが含まれる。
【００６６】
センサノード２００は、時間センサ、位置センサ、距離センサ、速度センサ、加速度センサ、角速度センサ、変位センサ、振動センサ、回転角センサ、回転数センサ、回転速度センサ、温度センサ、湿度センサ、高度センサ、照度センサ、色センサ、イメージセンサ、動画センサ、静止画センサ、可聴音センサ、超音波センサ、音声センサ、音圧センサ、臭いセンサ、ＧＰＳセンサ等が挙げられる。
【００６７】
また、センサノード２００は、人体に関するセンサでもよく、例としては、味覚、血圧、血糖値、免疫、心拍、心電、筋電、触覚、体温、姿勢、脈拍、体重、指紋、顔認識、呼吸、姿勢、汗、ストレス等を検出するセンサが挙げられる。
【００６８】
また、センサノード２００は、ガスセンサであってもよく、例としては、天然ガス、液化天然ガス、有機化合物ガス、ヘリウムガス、アルゴンガス等を検出するセンサが挙げられる。
【００６９】
また、センサノード２００は、特定の気体を検出するセンサであってもよく、例えば、一酸化炭素センサ、二酸化炭素センサ、酸素、水素、メタン、窒素、
一酸化窒素、二酸化窒素、二酸化硫黄、塩化水素、二酸化硫黄、硫化水素等を検出するセンサが挙げられる。
【００７０】
また、センサノード２００は、ホルムアルデヒド、塩分濃度、アルコール、
腐食を検出するセンサであってもよい。
【００７１】
また、センサノード２００は、流量、イオン、電流、電圧、電力、静電容量、容量、インダクタンスを検出するセンサであってもよい。
【００７２】
また、センサノード２００は、紫外線、赤外線、可視光、レーザー光、電波、Ｘ線、α線、γ線、その他の放射線、磁界、磁場、電場を検出するセンサであってもよい。
【００７３】
また、センサノード２００は、風速、風圧、風向、雨量、気圧、圧力、大気圧、日射量、雪量、ひずみ、硬度、傾斜、地震、酵素、微生物、人体、方位、通過、レベル、漏液、通過、焦電、水分量、糖度、ガス漏れ検知、ＳｐＯ２、ｐＨ、接触、埃、粉塵、煙、火炎、排気ガス、粒状性物質等を検出するセンサであってもよい。
【００７４】
また、センサノード２００は、周波数、波長、周期、重量、長さ、開閉等を検知するセンサであってもよい。
【００７５】
「センサノード」とは、温度や湿度等を検出したりするセンサであって、コンピュータを基軸とした通信ネットワークを構成する、中継点、分岐点、端末のことである。
【００７６】
センサノード２００に温度センサや湿度センサが設けられた場合、詳細な気温や湿度がわかる。また、火事が生じた場合、感知することができる。
【００７７】
センサノード２００は、センシングしたデータを第１基地局３００に送信する。そして、当該データは第２基地局４００を介してサーバ６００に送信される。
【００７８】
なお、センサノード２００が、ビーコン信号等の測位信号を送信するものであってもよい。
【００７９】
また、センサノード２００は、衛星ナビゲーション・モジュールを有するようにしてもよい。この場合、センサノード２００が衛星ナビゲーション・モジュールを起動させるようにすることができる。
【００８０】
（送受信端末５００）
送受信端末５００は、測位信号（ビーコン信号）を送受信行うものである。本実施形態では、送受信端末５００は、測位信号（ビーコン信号）を発信するものである。
【００８１】
電子タグ等の送受信端末５００がビーコン信号等の測位信号を発信することにより、電子タグ等の送受信端末５００の位置が測位される。
【００８２】
送受信端末５００の例としては、電子タグ、スマートフォン、携帯電話、タブレット等が挙げられる。送受信端末５００は、測位信号（ビーコン信号）を送受信することができる。本実施形態では、送受信端末５００は、測位信号（ビーコン信号）を発信する。
【００８３】
これにより、例えば、電子タグ等の送受信端末５００を所持する老人や子供等が迷子になったりした場合であっても、発見することが容易である。
【００８４】
（第１基地局３００）
第１基地局３００は、送受信端末５００と通信することができる。具体的には、第１基地局３００は、ＢＬＥ通信方式等の近距離無線通信で送受信端末５００と通信することができる。
【００８５】
本実施形態では、電子タグ等の送受信端末５００がビーコン信号を発信し、第１基地局３００が当該ビーコン信号を受信する。
【００８６】
第１基地局３００は、受信したビーコン信号を、第２基地局４００を介してサーバ６００に送信する。
【００８７】
サーバ６００には、第１基地局３００の設置場所の情報が保存されている。そのため、第１基地局３００が受信する送受信端末５００からの測位信号（ビーコン信号）の強さによって、電子タグ等の送受信端末５００の位置が判断される。
【００８８】
第１基地局３００の例としては、街灯又は防犯灯等の照明装置８００、電照看板９００等が挙げられる。このようなものであれば、既に電源が備え付けられているため、複数設置しなければならない第１基地局３００の設置費用を抑えることができる。
【００８９】
図３に示すように、本実施形態では、第１基地局３００は、送受信端末５００とＢＬＥを用いて通信するＢＬＥ送受信端末３１０と、
ＢＬＥ送受信端末３１０のデータの送受信を制御する制御部３２０と、
制御部３２０及び第２基地局４００と通信するＬＰＷＡ中継部３３０と、
ＢＬＥ送受信部３１０及びＬＰＷＡ中継部３３０に電力を供給する電源部３４０と、を含む。
【００９０】
第１基地局３００には通電センサが設けられても良い。このようなものであれば、例えば第１基地局３００が街灯の場合、照明の交換が必要か否か知ることができる。
【００９１】
ＢＬＥ送受信端末３１０は、ＢＬＥを用いて電子タグ等の送受信端末５００と通信する。これによりスマートフォンや電子タグ等の送受信端末５００の所持者の測位が可能である。
【００９２】
なお、本実施形態では通信方式としてＢＬＥを用いているが、近距離無線通信であればＢＬＥ以外の通信方式であってもよい。
【００９３】
制御部３２０は、ＢＬＥ送受信端末３１０がデータを送受信するのを制御する。制御部３２０の制御によりＢＬＥ送受信端末３１０は、送受信端末５００と通信し、ＬＰＷＡ中継器３３０にデータを送信する。
【００９４】
第１基地局３００が街灯や防犯灯の照明装置８００の場合、制御部３２０は照明の調光を行うことができる。
【００９５】
ＬＰＷＡ中継器３３０は、ＬＰＷＡＮを用いて第２基地局４００と通信する。また、ＬＰＷＡ中継器３３０は、ＬＰＷＡＮを用いてセンサノード２００と通信する。
【００９６】
ＬＰＷＡ中継器３３０は、ＢＬＥ送受信端末３１０から送信されたデータを第２基地局４００に送信する。
【００９７】
また、ＬＰＷＡ中継器３３０は、センサノード２００から送信されたデータを第２基地局４００に送信する。
【００９８】
ＬＰＷＡ中継器３３０は、第２基地局４００から送信された指令を制御部３２０に送信する。
【００９９】
電源部３４０は、電源７００から電力が供給される。電源７００から供給された電力により第１基地局３００は作動する。
【０１００】
本実施形態では、第１基地局３００は、ＢＬＥを用いて電子タグ等の送受信端末５００と通信しているが、第１基地局３００は、ＬＰＷＡＮを用いて電子タグ等の送受信端末５００と通信してもよい。
【０１０１】
具体的には、第１基地局３００は、ＺＥＴＡ通信方式等により電子タグ等の送受信端末５００と通信してもよい。
【０１０２】
本実施形態では、電子タグ等の送受信端末５００が測位信号（ビーコン信号）を発信し、第１基地局３００が当該測位信号（ビーコン信号）を受信することにより、電子タグ等の送受信端末の位置を把握しているが、第１基地局３００が測位信号（ビーコン信号）を発信し、送受信端末５００が当該測位信号（ビーコン信号）を受信してもよい。
【０１０３】
この場合、電子タグ等の送受信端末５００は、測位したデータを第１基地局３００にＬＰＷＡＮを用いて送信する。
【０１０４】
また、この場合、送受信端末５００も、衛星ナビゲーション・モジュールを有するようにしてもよい。
【０１０５】
この場合、送受信端末５００が、衛星ナビゲーション・モジュールを起動させるようにすることができる。
【０１０６】
第１基地局３００が、測位信号（ビーコン信号）を発信する場合、当該測位信号（ビーコン信号）を利用して、送受信端末５００に、広告を送ったり、クーポンを発行したりすることができるという利点がある。
【０１０７】
なお、通信方式は、ＺＥＴＡ以外に、ＬｏＲａ（Ｌｏｎｇ  Ｒａｎｇｅ）、ＳＩＧＦＯＸ（ＳＩＧＦＯＸの登録商標。以下同じ）等であってもよい。
【０１０８】
第１基地局３００には、ビーコン信号等の測位信号を受信するＢＬＥ送受信端末３１０が含まれているが、ビーコン信号等の測位信号を受信する受信器は第１基地局３００以外にも配置されてよい。
【０１０９】
当該受信器が受信したビーコン信号等の測位信号は、第１基地局３００に送信される。これによって、電子タグ等の送受信端末５００の詳細な位置が把握される。
【０１１０】
また、第１基地局３００の位置が把握されるために、第１基地局３００は、衛星ナビゲーション・モジュールを起動させ、第１基地局３００の配置情報を、第２基地局４００を経由してサーバ６００に送信してもよい。
【０１１１】
このようなものであれば、管理システム９５０が、サーバ６００に送信された第１基地局３００の位置情報の管理をすることが容易になる。
【０１１２】
なお、第２基地局４００も第１基地局３００と同様に、衛星ナビゲーション・モジュールを有するものであってもよい。
【０１１３】
第１基地局３００は、第２基地局４００と通信する。なお、図２に示すように、第１基地局３００と第２基地局４００との間に別途基地局を介在させてもよい。
【０１１４】
（第２基地局４００）
第２基地局４００は、第１基地局３００及びサーバ６００と通信する。第２基地局４００と第１基地局３００との間、又は、第２基地局４００とサーバ６００との間に別途基地局が介在してもよい。
【０１１５】
第２基地局４００は、サーバ６００から送信された指令を第１基地局３００に送信する。また、第２基地局４００は、第１基地局３００から送信されたデータをサーバ６００に送信する。
【０１１６】
第１基地局３００とは別に第２基地局４００が設けられることにより、既に設置されている街灯又は防犯灯等の照明装置、電照看板を、コスト負担を抑えつつ第１基地局３００とすることができる。
【０１１７】
なお、第２基地局４００に供給される電力の電源は、街灯等の照明装置８００又は電照看板９００と同一であってもよい。
【０１１８】
（サーバ６００）
サーバ６００は、第２基地局４００と通信する。なお、サーバ６００は、直接第１基地局３００と直接通信してもよい。
【０１１９】
管理システム９５０は、サーバ６００を介して第１基地局３００を制御する。
【０１２０】
サーバ６００に登録されている第１基地局３００の配置情報により、第１基地局３００が受信したビーコン信号等の測位信号の強さにより、発信元である電子タグ等の送受信端末５００の位置がわかる。
【０１２１】
サーバ６００は、クラウドサーバであってもよい。なお、「クラウドサーバ」は、ＳａａＳ（Ｓｏｆｔｗａｒｅ  ａｓ  ａ  Ｓｅｒｖｉｃｅ）タイプのものであってもよい。
【０１２２】
つまり、ＩＤとパスワードでクラウドサーバにログインすれば、インターネット上のどこからでも、どの端末からでもクラウドサーバにアクセスすることができるものであってもよい。
【０１２３】
なお、クラウドサーバは、ＰａａＳ（Ｐｌａｔｆｏｒｍ  ａｓ  ａ  Ｓｅｒｖｉｃｅ）タイプのもの又はＩａａＳ（Ｉｎｆｒａｓｔｒｕｃｔｕｒｅ  ａｓ  ａ  Ｓｅｒｖｉｃｅ）タイプのものであってもよい。
【０１２４】
電源７００は、第１基地局３００に電力を供給する。なお、電源７００は第２基地局４００に電力を供給してもよい。
【０１２５】
電源７００は、街灯、防犯灯等の照明装置８００又は電照看板９００の電源と同一であるものが好ましい。
【０１２６】
（測位及びセンシングネットワークシステム１００を用いたセンシング方法）
本実施形態におけるセンシング方法を図４に示すフローチャートを用いて説明する。
【０１２７】
（センシング方法）
温度・湿度等を検知するセンサであるセンサノード２００が設置される（ステップＳ１１）。なお、センサノード２００と共に測位ノードが設けられるシステムであってもよい。
【０１２８】
センサノード２００によって検出されたセンサ情報は、第１基地局３００にＬＰＷＡＮを用いて送信される（ステップＳ１２）。つまり、第１基地局３００は、センサ情報を、ＬＰＷＡＮを用いて受信する（センサ情報受信工程）。
【０１２９】
第１基地局３００に送信されたセンサ情報は、ＬＰＷＡＮを用いてＬＰＷＡ中継部３３０から第２基地局４００に送信される（ステップＳ１３、センサ情報送信工程）。
【０１３０】
第２基地局４００に送信されたセンサ情報は、サーバ６００に送信される（ステップＳ１４、センサ情報サーバ送信工程）。
【０１３１】
サーバ６００に送信されたセンサ情報はデータとして蓄積され分析等される（ステップＳ１５）。
【０１３２】
（測位及びセンシングネットワークシステム１００を用いた測位方法）
本実施形態における測位方法を図５に示すフローチャートを用いて説明する。
【０１３３】
スマートフォンや電子タグ等の送受信端末５００が測位信号（ビーコン信号）を発信する（ステップＳ２１）。
【０１３４】
第１基地局３００のＢＬＥ送受信部３１０が当該測位信号（ビーコン信号）を受信する（ステップＳ２２、測位信号受信工程）。
【０１３５】
測位信号（ビーコン信号）は、ＢＬＥ送受信部３１０からＬＰＷＡ中継部３３０に送信される（ステップＳ２３）。
【０１３６】
第１基地局３００が受信した測位信号（ビーコン信号）は、ＬＰＷＡＮを用いてＬＰＷＡ中継部３３０から第２基地局４００に送信される（ステップＳ２４、測位信号送信工程）。
【０１３７】
第２基地局４００に送信された測位信号（ビーコン信号）は、サーバ６００に送信される（ステップＳ２５、測位信号サーバ送信工程）。
【０１３８】
サーバ６００に送信された測位信号（ビーコン信号）はデータとして蓄積され分析等される（ステップＳ２６）。
【０１３９】
図６は、電子タグ等の送受信端末５００が移動した場合に関するフローチャートである。まず、電子タグ等の送受信端末５００が、測位信号（ビーコン信号）を発信する（ステップＳ３１）。
【０１４０】
送受信端末５００の測位信号（ビーコン信号）を受信した第１基地局３００は、第２基地局４００を介してサーバ６００に測位信号（ビーコン信号）を送信する（ステップＳ３２）。
【０１４１】
図１に示すように、送受信端末Ｂ５０２が発信した測位信号（ビーコン信号）を受信した第１基地局３００が、第１基地局Ａ３０１と第２基地局Ｂ３０２である場合について説明する。
【０１４２】
第１基地局Ａ３０１が受信した測位信号（ビーコン信号）のほうが、第１基地局Ｂ３０２が受信した測位信号（ビーコン信号）より強い場合、送受信端末Ｂ５０２の所持者は第１基地局Ｂ３０２より第１基地局Ａ３０１側に位置すると判断される（ステップＳ３３、ステップＳ３４）。
【０１４３】
逆に第１基地局Ｂ３０２が受信した送受信端末Ｂ５０２からの測位信号（ビーコン信号）のほうが、第１基地局Ａ３０１が受信した送受信端末Ｂ５０２からの測位信号（ビーコン信号）より強い場合、送受信端末Ｂ５０２の所持者は第１基地局Ａ３０１より第１基地局Ｂ３０２側に位置すると判断される（ステップＳ３３、ステップＳ３５）。
【０１４４】
そして、送受信端末５００から受信した測位信号（ビーコン信号）の強さの強い第１基地局３００が、第１基地局Ａ３０１から第１基地局Ｂ３０２に変化した場合、送受信端末５００の所持者は第１基地局Ａ３０１側から第１基地局Ｂ３０２側に移動したと判断される（ステップＳ３６）。
【０１４５】
つまり、送受信端末Ａ５０１の位置から送受信端末Ｃ５０３の位置に移動したとわかる。
【０１４６】
なお、３箇所以上の第１基地局３００が、電子タグ等の送受信端末５００からの測位信号（ビーコン信号）を受信できる場合、電子タグ等の送受信端末５００の詳細な位置が把握できる。
【０１４７】
（測位及びセンシングネットワークシステム１００を用いたライティングシステム）
本実施形態は、第１基地局３００に街灯や防犯灯等の照明装置８００が接続される。
【０１４８】
第１基地局３００の電源７００の確保や設置場所は、街灯等の照明装置８００のものが用いられる場合、第１基地局３００の電源７００の確保や第１基地局３００設置費用を抑えることができる。
【０１４９】
図７及び図８に示すように、複数ある照明装置８００である街灯のうちのいくつかを第１基地局３００と接続し、その周辺の街灯をセンサノード２００とすることができる。
【０１５０】
第１基地局３００が照明装置８００である街灯に接続される間隔は、第１基地局３００とセンサノード２００とが通信できる距離によって異なる。本実施形態では、第１基地局３００とセンサノード２００とは、ＬＰＷＡＮを用いて通信するため、第１基地局３００の照明装置８００への接続は数ｋｍ間隔でよい。
【０１５１】
また、街灯等の照明装置８００に接続される第１基地局３００は、ＢＬＥ送受信部３１０によってＢＬＥ等の近距離無線通信が可能であるが、隣り合う第１基地局３００の間隔がＬＰＷＡＮによって通信できる距離である場合であっても、ＢＬＥ等の近距離無線通信ができない地域が発生する場合も生じる。
【０１５２】
そのため、例えばビーコン信号の受信器等の近距離無線通信の送受信機は、隣り合う第１基地局３００の間に配置されてもよい。この場合、ＢＬＥ等の近距離無線通信機の送受信機は、街灯等の照明装置８００に接続されてもよい。
【０１５３】
このようなものであれば、ＢＬＥ等の近距離無施栓通信の送受信機の電源を街灯等の照明装置８００の電源と共通にすることができる。
【０１５４】
本実施形態における第１基地局３００の制御部３２０は、照明装置８００と有線又は無線で接続されている。
【０１５５】
制御部３２０は、照明装置８００のＯＮ／ＯＦＦ、調光等を制御することができる。また、照明装置８００は、ＬＥＤが用いられているものが好ましい。
【０１５６】
また、照明が点灯しない等の故障をした場合や照明を交換する必要がある場合、当該情報はＬＰＷＡ中継部３３０を介してサーバ６００に送信される。
【０１５７】
なお、この場合、第２基地局４００を介さなくてもよい。また、センサノード２００と送受信端末５００とは通信できてもよい。
【０１５８】
（測位及びセンシングネットワークシステム１００を用いた電照看板システム）
本実施形態は、第１基地局３００に電照看板９００が接続される。
【０１５９】
第１基地局３００の電源７００の確保や設置場所は、電照看板９００のものが用いられる場合、第１基地局３００の電源７００の確保や第１基地局３００設置費用を抑えることができる。
【０１６０】
図９、図１０及び図１１に示すように、複数ある電照看板９００のうちのいくつかを第１基地局３００と接続し、その周辺の電照看板９００をセンサノード２００とすることができる。
【０１６１】
図１０は、店舗の店頭にある店舗名等が記載された電照看板９００を表した概念図である。図１１は、電照看板９００に含まれるデジタルサイネージを表した概念図である。
【０１６２】
図１０に示すように、電照看板９００は、街中や住宅街のような老人や子供等が通る道に面しているコンビニエンスストア、商店、ガソリンスタンド、自動車販売店、バス停等の電照看板が好ましい。
【０１６３】
図１１は、電照看板９００の一例であるデジタルサイネージである。街中や住宅街において、デジタルサイネージが今後増加してくる可能性があるため、電照看板９００としてこのようなものであってもよい。
【０１６４】
第１基地局３００が電照看板９００に接続される間隔は、第１基地局３００がセンサノード２００とが通信できる距離によって異なる。本実施形態では、第１基地局３００とセンサノード２００とは、ＬＰＷＡＮを用いて通信するため、第１基地局３００の設置は数ｋｍ間隔でよい。
【０１６５】
また、電照看板９００に接続される第１基地局３００は、ＢＬＥ送受信部３１０によってＢＬＥ等の近距離無線通信が可能であるが、隣り合う第１基地局３００の間隔がＬＰＷＡＮによって通信できる距離である場合であっても、ＢＬＥ等の近距離無線通信ができない地域が発生する場合も生じる。
【０１６６】
そのため、例えばビーコン信号の受信器等のＢＬＥ等の近距離無線通信の送受信機は、隣り合う第１基地局３００の間に配置されてもよい。この場合、ＢＬＥ等の近距離無線通信機の送受信機は、電照看板９００に接続されてもよい。
【０１６７】
このようなものであれば、ＢＬＥ等の近距離無施栓通信の送受信機の電源を電照看板９００の電源と共通にすることができる。
【０１６８】
本実施形態における第１基地局３００の制御部３２０は、電照看板９００と有線又は無線で接続されている。
【０１６９】
そして、制御部３２０は、電照看板９００のＯＮ／ＯＦＦ、調光、表示される画像の変更等を制御することができる。
【０１７０】
また、電照看板９００の照明が点灯しない等の故障をした場合や部品を交換する必要がある場合、当該情報はＬＰＷＡ中継部３３０を介してサーバ６００に伝えられる。
【０１７１】
なお、この場合、第２基地局４００を介さなくてもよい。また、本実施形態ではセンサノード２００と送受信端末５００とは通信していないが、通信できるようにしてもよい。
【０１７２】
また、センサノード２００は、消費電力が小さく電池等で作動させることができるセンサもあるため、照明装置８００又は電照看板９００に設置せず、これらとは異なる場所に設置してもよい。
【０１７３】
通常、第１基地局３００を配置するためには、設置場所の確保をしたり、外部電源を準備したりする必要があるため、コストがかかり測位システムが広がりにくいという問題がある。
【０１７４】
しかし、街灯や防犯灯の照明装置８００や電照看板９００等に第１基地局３００が設置されることにより、コストを抑えることができ、測位システムの設置が広がり易くなる。
【０１７５】
しかし、街灯や防犯灯の照明装置８００や電照看板９００等に第１基地局３００を設置することは、街灯や防犯灯の照明装置８００や電照看板９００等の管理者（所持者）等にとってメリットが少ない場合がある。そして、これによって測位システムが広がり難くなってしまうおそれがある。
【０１７６】
しかし、センシングも行われることにより街灯や防犯灯の照明装置８００や電照看板９００等の管理者（所持者）にとってメリットが大きくなる。
【０１７７】
例えば、センサノード２００が人、自転車、バイク、車といった通過センサの場合、管理者はどの程度人、自転車、バイク、車等が通過しているか把握することができ、事業や街づくり、犯罪防止に役立てることができる。
【０１７８】
また、このようなものであれば、街灯や防犯灯の交換の必要性、故障等の判断も容易になる。
【０１７９】
また、例えばコンビニエンスストアやスーパー等の商店において、店舗内、冷蔵庫、冷凍庫等の温度管理が必要であるが、温度を計測するセンサノードを設置することにより、冷蔵庫や冷凍庫の温度管理が自動化される。
【０１８０】
このため、事業者にとっては、従業員が温度管理等をする必要がなく、また、測定回数も増加させることができ、省エネルギー化を図ることができる。
【０１８１】
また、測位システムも例えば子供の迷子や老人の徘徊防止、犯罪防止に役立てることができる。
【０１８２】
このため、測位システム及びセンシングシステムの設置が広がり易くなる。
【０１８３】
本発明は、その趣旨を逸脱しない範囲で種々の改良、修正、又は変形を加えた態様でも実施できる。
【符号の説明】
【０１８４】
１００…測位及びセンシングネットワークシステム
２００…センサノード
３００…第１基地局
４００…第２基地局
５００…送受信端末
６００…サーバ
７００…電源
８００…照明装置
９００…電照看板
９５０…管理システム
【図１】
2019050457.tif 000003
【図２】
2019050457.tif 000004
【図３】
2019050457.tif 000005
【図４】
2019050457.tif 000006
【図５】
2019050457.tif 000007
【図６】
2019050457.tif 000008
【図７】
2019050457.tif 000009
【図８】
2019050457.tif 000010
【図９】
2019050457.tif 000011
【図１０】
2019050457.tif 000012
【図１１】
2019050457.tif 000013
【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
測位信号を発信する送受信端末を測位することが可能なネットワークシステムであって、
少なくとも一以上配置され、前記送受信端末が発信する前記測位信号を受信し、サーバと通信可能である第２基地局に前記測位信号を送信する第１基地局を含み、
前記第１基地局は、検出した情報を前記第１基地局に送信する少なくとも一以上配置されるセンサノードと通信可能であり、
少なくとも一以上の照明装置の電源と前記第１基地局の電源とを同一の電源を使用するネットワークシステム。
【請求項２】
前記照明装置が街灯又は防犯灯であり、前記照明装置の少なくとも一以上が前記センサノードである又は前記センサノードと電気的に接続される請求項１記載のネットワークシステム。
【請求項３】
測位信号を発信する送受信端末を測位することが可能なネットワークシステムであって、
少なくとも一以上配置され、前記送受信端末が発信する前記測位信号を受信し、サーバと通信可能である第２基地局に前記測位信号を送信する第１基地局を含み、
前記第１基地局は、検出した情報を前記第１基地局に送信する少なくとも一以上配置されるセンサノードと通信可能であり、
少なくとも一以上の電照看板の電源と前記第１基地局の電源とを同一の電源を使用するネットワークシステム。
【請求項４】
前記電照看板の少なくとも一以上が前記センサノードである又は前記センサノードと電気的に接続される請求項３記載のネットワークシステム。
【請求項５】
前記送受信端末から受信する前記測位信号の強さによって、前記送受信端末の位置を判断する請求項１又は４記載のネットワークシステム。
【請求項６】
前記第１基地局と前記センサノードとがＬＰＷＡＮを用いて通信される請求項１乃至５のいずれかに記載のネットワークシステム。